(57)【要約】【課題】  車両用の間隔計測装置において、ドアを閉じ位置に操作した状態での車体のドア開口部の外周部とドアの外周部との間隔を測定する場合、ドアを閉じ位置に操作した状態での車体のドア開口部の外周部とドアの外周部との間隔を、外周部の周方向と交差する方向（ウェザーストリップの横幅方向）で適切に測定する。【解決手段】  車体のドア開口部３の外周部又はドア１の外周部４に着脱自在な本体部７と、車体のドア開口部３を閉じる閉じ位置にドア１を操作した状態において車体のドア開口部３の外周部とドア１の外周部４との間隔を測定するもので本体部７に所定間隔を置いて備えられた複数の測定部８とを備えて、間隔計測装置６を構成する。【選択図】        図１
2006125929.tif 000002
【特許請求の範囲】
【請求項１】
車体のドア開口部の外周部又はドアの外周部に着脱自在な本体部と、
車体のドア開口部を閉じる閉じ位置にドアを操作した状態において車体のドア開口部の外周部とドアの外周部との間隔を測定するもので、前記本体部に所定間隔を置いて備えられた複数の測定部と、
を備えて構成された車両用の間隔計測装置。
【請求項２】
前記測定部がスライド自在に本体部に支持されて、車体のドア開口部の外周部とドアの外周部に接触することにより、車体のドア開口部の外周部とドアの外周部との間隔を測定する接触子である請求項１に記載の車両用の間隔計測装置。
【発明の詳細な説明】
【技術分野】
【０００１】
本発明は、乗用車や商用車、バスやトラック等の車両において、ドアの付近の間隔計測装置に関する。
【背景技術】
【０００２】
車両では一般に、ドアの外周部にゴム製のウェザーストリップが取り付けられており、車体のドア開口部を閉じる閉じ位置にドアを操作した状態において、ウェザーストリップが車体のドア開口部の外周部に密着することにより、雨や風切り音の室内への侵入が防止される。
これにより、ドアを閉じ位置に操作した状態で、ウェザーストリップが車体のドア開口部の外周部に適切に密着するようにする為に、ドアを閉じ位置に操作した状態での車体のドア開口部の外周部とドアの外周部との間隔を、所定の適切値に維持する必要があり、ドアを閉じ位置に操作した状態での車体のドア開口部の外周部とドアの外周部との間隔を測定する必要がある。
【０００３】
ドアを閉じ位置に操作した状態での車体のドア開口部の外周部とドアの外周部との間隔を測定するものとして、例えば特許文献１に開示されているように、車体のドア開口部の外周部（特許文献１の図１の１ｂ）に、間隔計測装置（特許文献１の図１の１０）を取り付けて、間隔計測装置により、ドアを閉じ位置に操作した状態での車体のドア開口部の外周部とドアの外周部との間隔を測定するように構成したものがある。
【０００４】
【特許文献１】特開２００１−３１１６０２号公報（図１及び図６）
【発明の開示】
【発明が解決しようとする課題】
【０００５】
ウェザーストリップは所定の横幅を備えているので、ウェザーストリップが車体のドア開口部の外周部に適切に密着するようにする為には、ドアを閉じ位置に操作した状態での車体のドア開口部の外周部とドアの外周部との間隔を、外周部の周方向に沿って適切な所定値に維持する必要があるのに加えて、外周部の周方向と交差する方向（ウェザーストリップの横幅方向）でも適切な所定値に維持する必要がある。
【０００６】
本発明は車両用の間隔計測装置において、ドアを閉じ位置に操作した状態での車体のドア開口部の外周部とドアの外周部との間隔を、外周部の周方向と交差する方向（ウェザーストリップの横幅方向）で適切に測定することができるように構成することを目的としている。
【課題を解決するための手段】
【０００７】
［Ｉ］
（構成）
本発明の第１特徴は車両用の間隔計測装置において次のように構成することにある。
車体のドア開口部の外周部又はドアの外周部に着脱自在な本体部と、
車体のドア開口部を閉じる閉じ位置にドアを操作した状態において車体のドア開口部の外周部とドアの外周部との間隔を測定するもので、本体部に所定間隔を置いて備えられた複数の測定部と、
を備えて、車両用の間隔計測装置を構成する。
【０００８】
（作用）
本発明の第１特徴によれば、車体のドア開口部の外周部とドアの外周部との間隔を測定する複数の測定部が、間隔計測装置の本体部に所定間隔を置いて備えられているので、例えば間隔計測装置（本体部）を車体のドア開口部の外周部又はドアの外周部のある位置に取り付けた場合に、ドアを閉じ位置に操作した状態での車体のドア開口部の外周部とドアの外周部との間隔が、間隔計測装置の複数の測定部によりある程度の範囲に亘って測定される（複数の異なる位置で測定される）。
【０００９】
これにより、間隔計測装置（本体部）を車体のドア開口部の外周部又はドアの外周部のある位置に取り付けた場合に、間隔計測装置（本体部）を適切な向きに設定することにより、ドアを閉じ位置に操作した状態での車体のドア開口部の外周部とドアの外周部との間隔を、外周部の周方向と交差する方向（ウェザーストリップの横幅方向）で適切に測定することができる。
【００１０】
本発明の第１特徴によると、間隔計測装置（本体部）が車体のドア開口部の外周部又はドアの外周部に着脱自在に構成されているので、間隔計測装置（本体部）を車体のドア開口部の外周部又はドアの外周部のある位置に取り付けて測定を行うと、この後に間隔計測装置（本体部）を取り外し、車体のドア開口部の外周部又はドアの外周部の別の位置に取り付けて測定を行えばよい。
このように本発明の第１特徴によると、間隔計測装置（本体部）を車体のドア開口部の外周部又はドアの外周部に沿って移動させ、測定を繰り返していくことにより、車体のドア開口部の外周部（ドアの外周部）に沿って測定を行っていくことができる。
【００１１】
（発明の効果）
本発明の第１特徴によると、車両用の間隔計測装置において、ドアを閉じ位置に操作した状態での車体のドア開口部の外周部とドアの外周部との間隔を測定する場合、間隔計測装置に複数の測定部を備えることによって、ドアを閉じ位置に操作した状態での車体のドア開口部の外周部とドアの外周部との間隔を、外周部の周方向と交差する方向（ウェザーストリップの横幅方向）で適切に測定することができるようになった。
これにより、所定の横幅を備えたウェザーストリップに対して、ドアを閉じ位置に操作した状態での車体のドア開口部の外周部とドアの外周部との間隔を、適切な所定値に維持することが可能になる。
【００１２】
［ＩＩ］
（構成）
本発明の第２特徴は、本発明の第１特徴の車両用の間隔計測装置において次のように構成することにある。
測定部がスライド自在に本体部に支持されて、車体のドア開口部の外周部とドアの外周部に接触することにより、車体のドア開口部の外周部とドアの外周部との間隔を測定する接触子である。
【００１３】
（作用）
本発明の第２特徴によると、本発明の第１特徴と同様に前項［Ｉ］に記載の「作用」を備えており、これに加えて以下のような「作用」を備えている。
本発明の第２特徴によると、間隔計測装置の複数の接触子（測定部）が車体のドア開口部の外周部又はドアの外周部に直接に接触することによって、ドアを閉じ位置に操作した状態での車体のドア開口部の外周部とドアの外周部との間隔を測定しており、非接触式の測定部に比べて外乱の影響を受けることが少ない。
【００１４】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、非接触式の測定部に比べて外乱の影響を受けることを少なくしながら、ドアを閉じ位置に操作した状態での車体のドア開口部の外周部とドアの外周部との間隔を、適切に測定することができるようになった。
【発明を実施するための最良の形態】
【００１５】
図１（イ）（ロ）は乗用車におけるフロントドア１（左の助手席側）において、フロントドア１のドアノブ（図示せず）側の横断面を示しており、Ｂピラー２の横断面を示している。Ｂピラー２の前方（紙面右側）に、乗員の乗降用のフロントドア１の開口部３（車体のドア開口部に相当）が位置しており、フロントドア１の外周部４とフロントドア１の開口部３の外周部（この一部にＢピラー２の外周部５も含まれる）との間に、ウェザーストリップ（図示せず）が配置される。
【００１６】
図１（イ）（ロ）及び図２に示すように、間隔計測装置６が用意されており、本体部７に複数の接触子８（測定部に相当）が備えられて、間隔計測装置６が構成されている。間隔計測装置６の本体部７は底面に磁石９が備えられており、フロントドア１の開口部３の外周部（Ｂピラー２の外周部５）又はフロントドア１の外周部４の任意の位置に、間隔計測装置６が着脱自在である。
【００１７】
図１（イ）（ロ）及び図２に示すように、間隔計測装置６の接触子８が間隔計測装置６の本体部７に所定間隔を置いて千鳥状に８個配置されて、間隔計測装置６の接触子８の先端部に球形状の接触部８ａが備えられている。間隔計測装置６の接触子８は間隔計測装置６の本体部７に対して図１（イ）（ロ）の紙面上下方向に各々独立にスライド自在に支持されており、間隔計測装置６の本体部７の内部に備えられたバネ（図示せず）により、間隔計測装置６の接触子８が突出側（図１（イ）（ロ）の紙面上方）に付勢されている。
【００１８】
図１（ロ）に示すように、間隔計測装置６の本体部７に対する間隔計測装置６の接触子８の位置を電気的に検出する検出部（図示せず）が、間隔計測装置６の本体部７の内部に備えられている。間隔計測装置６の外部に増幅器１０、Ａ／Ｄ変換器１１、間隔算出制御部１２、測定値表示部１３及び記憶装置１４が備えられており、これらが前述の検出部とハーネス１５を介して接続されている。
【００１９】
図１（ロ）に示す状態は、間隔計測装置６の本体部７をＢピラー２の外周部５のある位置に取り付けた状態であり（フロントドア１の開口部３の外周部（Ｂピラー２の外周部５）の周方向と交差する方向（ウェザーストリップの横幅方向））、フロントドア１の開口部３を閉じる閉じ位置にフロントドア１を操作した状態である。この状態でフロントドア１の外周部４が間隔計測装置６の接触子８に接当し、間隔計測装置６の接触子８が間隔計測装置６の本体部７に押し込まれている。これによって、作業者が測定信号を発信させると、間隔計測装置６の接触子８の各々により、Ｂピラー２の外周部５とフロントドア１の外周部４との間隔（フロントドア１の外周部４と間隔計測装置６の本体部７との間隔）が測定され、間隔計測装置６の接触子８の各々に対応した測定値が測定値表示部１３に表示されて記憶装置１４に記憶される。
【００２０】
以上のようにして、間隔計測装置６の本体部７をＢピラー２の外周部５のある位置に取り付けた状態での測定が終了すると、フロントドア１を開き位置に操作し、間隔計測装置６の本体部７を取り外しＢピラー２の外周部５の別の位置に取り付けて、前述と同様な測定を行えばよい。
【００２１】
［発明の実施の別形態］
前述の［発明を実施するための最良の形態］において、図３に示すように構成してもよい。
図３に示すように、間隔計測装置６の本体部７の両端部にマーキング部１６（先端にピエゾ素子（圧電セラミック）が使用されている）が備えられており、間隔計測装置６の外部に備えられたポンプ（図示せず）及びインクカートリッジ（図示せず）と、間隔計測装置６のマーキング部１６とが、細いチューブ１７によって接続されている。
【００２２】
これにより、間隔計測装置６の接触子８の各々により、Ｂピラー２の外周部５とフロントドア１の外周部４との間隔（フロントドア１の外周部４と間隔計測装置６の本体部７との間隔）が測定されると、間隔計測装置６のマーキング部１６からインクが噴射され（例えば噴射されるインク滴の最小外径が０．５ｍｍ程度で、インクの吐出量が０．０７ｍｇ程度）、間隔計測装置６の接触子８の各々により測定されたフロントドア１の外周部４の箇所の付近に、２つのマーキングが施される。
【００２３】
前述のように、２つのマーキングが施されると、この２つのマーキングの間の部分において、間隔計測装置６の接触子８の各々により測定が行われたことを把握することができる。この場合、間隔計測装置６の本体部７をＢピラー２の外周部５のある位置に取り付けて、フロントドア１の開口部３を閉じる閉じ位置にフロントドア１を操作する前、又は測定の終了後にフロントドア１を開き位置に操作した際に、間隔計測装置６の本体部７を取り付けたＢピラー２の外周部５の位置に、作業者がペン等によってマーキングを施しておけば、間隔計測装置６の接触子８が測定したフロントドア１の外周部４の箇所の付近（２つのマーキング）、及び間隔計測装置６の本体部７を取り付けたＢピラー２の外周部５の位置の両方に、マーキングが施されることになる。
【００２４】
前述の［発明を実施するための最良の形態］及び［発明の実施の別形態］において、間隔計測装置６の本体部７をフロントドア１の外周部４に取り付けて測定を行うように構成してもよい。又、本発明はリヤドア（図示せず）にも適用できる。
【図面の簡単な説明】
【００２５】
【図１】間隔計測装置の本体部をＢピラーの外周部のある位置に取り付けた状態で、フロントドアを開き位置及び閉じ位置に操作した状態での横断平面図
【図２】間隔計測装置の全体斜視図
【図３】発明の実施の別形態における間隔計測装置の平面図
【符号の説明】
【００２６】
１    ドア
３    車体のドア開口部
４    ドアの外周部
７    本体部
８    測定部、接触子
【図１】
2006125929.tif 000003
【図２】
2006125929.tif 000004
【図３】
2006125929.tif 000005